【手続補正書】
【提出日】平成28年10月7日(2016.10.7)
【手続補正１】
【補正対象書類名】明細書
【補正対象項目名】全文
【補正方法】変更
【補正の内容】
【発明の詳細な説明】
【発明の名称】装飾用パネルアレイ
【技術分野】
【０００１】
本発明は装飾用壁パネルアレイに関する。
【背景技術】
【０００２】
矩形金属の天井パネルのアレイを垂直な壁または同種の表面上に取り付けるための従来の構成は高価であり、特別に生産されたハードウェアを必要とした。かかるシステムのための先行技術ハードウェアは、バックライトまたは他の効果のためのパネルの裏側に与えられた奥行きが限定され、偶然にぶつけられた場合の損傷または破壊行為からパネルの中央領域を保護することができなかった。
【発明の概要】
【発明が解決しようとする課題】
【０００３】
本発明は、矩形金属の天井パネルを壁または他の垂直表面上に取り付けるための独特の装飾用パネルアレイを提供する。開示した装飾用パネルアレイは比較的低価格であり、大部分については規格のハードウェアおよび通常の建築材料を使用する。
【課題を解決するための手段】
【０００４】
本発明の一実施形態において、装飾用パネルアレイは、矩形パネルを支持する様々な規格吊り天井部品を利用する。本発明は、規格部品の採用の結果として、システム価格および必要な技能および設置のための労働力を低下させる。さらに、本発明は、壁から矩形パネルまでの複数の異なる隔離寸法の提供を実践的にする。
【０００５】
本発明の別の実施形態において、バッカーパネルは金属の天井パネルのための取り付け機能および損傷耐性の両方を提供するように構成される。バッカーパネルまたはボードは通常の建築材料（ＭＤＦ（半硬質繊維板）等）で組み立てることができる。バッカーパネルは最小の工作機械類の投資により生産することができ、完成した装置のために最小の付属品を必要とする。
【図面の簡単な説明】
【０００６】
【図１】矩形パネルのアレイが設置されている壁の模式的な等角図である。
【図２】本発明の第１の実施形態に従う設置の周辺領域の図１中の矢印Ａ−Ａによって示された、部分横断面図である。
【図２Ａ】壁上に取り付けたグリッドランナー上の周辺トリムチャンネルのクリップ取り付けの分解部分図である。
【図３】２枚の隣接するパネルの間の典型的なジョイントの詳細を示す図１中の矢印Ｂ−Ｂによって示された、部分横断面図である。
【図４】第１の実施形態の装飾用パネルの周辺端部を支持するティーの取り付けに使用されるブラケットの等角図である。
【図５】本発明の第２の実施形態に従う装飾用パネルのためのバッカーボードの前面概観図である。
【図６】図５の本発明のバッカーボードの典型的な側面図である。
【図７】第２の実施形態の取り付けシステムを備えた装飾用パネル設置の周辺領域の図１の線Ａ−Ａに沿った横断面図である。
【図８】第２の実施形態の装飾用パネル取り付けシステムの中央領域の図１の線Ｂ−Ｂに沿った部分横断面図である。
【発明を実施するための形態】
【０００７】
図１は、金属の天井用のパネル１１のアレイが本発明のシステムにより取り付けられる壁または同種の垂直サポート１０を模式的に図示する。天井用のパネル１１は建築業において一般的に公知である（ＵＳＧ  Ｉｎｔｅｒｉｏｒｓ，ＬＬＣによって商標Ｃｅｌｅｂｒａｔｉｏｎ（商標）として市販されるもの等）。高強度鋼または硬アルミニウムで形成されたパネル１１は皿状であり、典型的には２フィート×２フィートまたは産業界メートル法換算値の公称面寸法を有する。パネルの端部は一般的にはパネル面に垂直なフランジ１２を備えて形成される。フランジは、取り付け構造へパネルを締め付ける目的のためにそれらの中央セクションで多少内側にへこんで内側にへこんだ領域１３を形成している。通常、パネルを壁１０の局所的領域上のみに取り付けてデザイン特色を提供する。パネル１１のアレイを床から間隔を置いて配置してカートおよび床掃除機ならびに同種の装置がぶつからないようにする。
【０００８】
図２〜４は、パネル１１と壁との間に配置された発光源（複数可）（図示せず）によりパネルを効果的にバックライト照明するのに十分な空間で、パネル１１を壁１０上に取り付けるための本発明の第１の実施形態の詳細を図示する。「ボルトスロット」を有するランナー１４のマトリックスまたはグリッドを利用して、壁１０に対して間隔を置いて配置された関係でパネル１１を支持する。好ましくは、ランナー１４は、２４インチセンター上のメインランナーおよび同様に２４インチセンター上のクロスランナーによりアレンジされる。これらの寸法の産業界メートル法換算値を使用することができる。
【０００９】
好都合に壁１０上に垂直にアレンジされたメインランナー１４は、図４中で示される間隔を置いて配置された壁を取り付けるブラケット１６によって、支持される。ブラケット１６は例えば連続したクロスランナーの間に規則的な距離で（すなわち２４インチのセンター上で）メインランナー１４に沿って間隔を置いて配置することができる。ブラケット１６を釣り合わせて、例えば壁１０から４インチ、６インチまたは８インチの所望される距離で天井パネルを支持することができる。メインランナー１４のウェブ１９の中に推進されるセルフタッピングネジ１８を収容するように、ブラケット１６はスロット１７を備えて提供される。スロット１７は限定的な調整性を与えて、壁１０中の様々な部分のアセンブリーにおける許容差および平坦性の変動に順応する。ランナー１４が適切に調整される場合、セルフタッピングネジ１８を穴２１中に使用して適所にランナーをロックすることができる。ブラケットはネジを受け入れるための穴を備えた足１５を有して、ブラケットを壁１０上に取り付ける。
【００１０】
パネル１１のアレイ２５がその周辺部２６のように適切にトリミングされて、取り付けの細部を隠すことおよびアレイ２５に完成した外観を与えることが所望される。図２〜４中で示される実施形態において、周辺部２６は、規格の吊り天井アイランドトリム（商標Ｃｏｍｐａｓｓｏ（登録商標）としてＵＳＧ  Ｉｎｔｅｒｉｏｒｓ，ＬＬＣによって市販されるもの等）によってトリミングすることができる。このトリムシステムは、ランナー１４およびトリムチャンネル２８に添付されてパネル１１のアレイの周辺部２６で連続的なアウトラインを形成するブラケット２７を含む。図２Ａは、ランナー１４、ブラケットまたはクリップ２７およびトリムチャンネル２８を分解した関係で図示する。図２および２Ａを参照して、グリッドランナー１４はブラケット１６によって壁１０へ固定され、トリムチャンネル２８はクリップ２７によってグリッドランナー１４へ固定される。クリップ２７は、セルフタッピングネジによりランナーの補強バルブ２９および／またはウェブ３０に締め付けられる。クリップ２７が、浅いトリムチャンネル２８の狭いフランジ３３上の縁３２と相互係合するフランジ３１を有することが観察される。グリッド部材またはランナー１４は、ＵＳＧ  Ｉｎｔｅｒｉｏｒｓ，ＬＬＣによって商標ＦＩＮＥＬＩＮＥ（登録商標）として市販されるタイプであり得る。図示されたアタッチメントクリップ２７の他に、吊り天井産業界は出隅および継手を含むトリムチャンネル２８ための付属品を提供する。
【００１１】
ランナー１４のボルトスロットを形成するフランジ３６の上へパネル１１が嵌め込まれることが図２および３から理解されるだろう。ランナー１４、クリップ２７およびチャンネル２８を含む規格の吊り天井グリッド部品の利用は、天井用のパネル１１のための壁取り付けシステムの組み立てを可能にし、それは経済的であり、吊り天井技術に精通する専門家によって容易に設置される。大部分の部品が既に存在しているので、壁取り付けシステムへのこれらの吊り天井付属品の適応により製造者は価格を大幅に低下できる。典型的には出隅は工場で作製され、アレイの野外組み立てを非常に単純化する。従来の金属の天井パネルは、パネルの面の端部に平行な直交直線に沿って延びる均一な間隔で配置された穴を備えて有孔性である。最近では、穴または穿孔のパターンは物体のイメージを表現するためにアレンジされている。これらの有孔性天井パネルはバックライトであり、すなわち演劇用効果のためにパネルとパネルアレイを支持する下層にある壁との間の発光源を備えて提供され得る。本発明によって提供されたランナーのアレンジは、適切な空間（例えばパネルと壁との間に４、６または８インチ）が適切な間隔を提供して、一様な光分布を得ることを可能にする。圧縮可能な発泡ゴムストリップ３７をトリムチャンネル２８のフランジ３３へ粘着的に添付して、パネル１１およびトリムチャンネル２８によって封入された空間からの任意の光をブロックすることができる。隙間の設置およびサイズによってイメージを生成する場合、隙間のあるパネル１１のバックライトが特に所望され、この特色を有する商業的に入手可能なパネルの一例は、ＵＳＧ  Ｉｎｔｅｒｉｏｒｓ，ＬＬＣによって商品名ＰＩＸＥＬＳ（登録商標）として市販される製品ラインである。
【００１２】
図５〜８は本発明の第２の実施形態に従って組み立てられたバッカーボード４０の詳細を図示する。バッカーボード４０は好ましくは半硬質繊維板（ＭＤＦ）から作製されるが、この目的のために好適な他の類似の材料から作製することができる。ボードは公称２４インチの正方形（または産業界メートル法換算値）である。好ましくは、バッカーボードまたはパネル４０の厚みは３／４インチ（または産業界メートル法換算値）である。ボード４０の各々の端部４１は同一のプロファイルでルータ加工される。バッカーボード４０のベースまたは裏側４３は参照公称２４インチの寸法を有する。このバッカーベースはバッカーボード４０の全厚みの３分の１よりわずかに少ない厚みを有する。深い溝４４はボード４０の周辺部でアンダーカットされた中央の領域４６からベース４３を分離する。アンダーカットされた領域４６前方で、端部プロファイルはバンド４７で拡大され、したがって後方に面する段部表面４８を形成する。バンド４７前方で、端部プロファイルは、図示された実例において、ボード４０の平面に垂直な線から平面に１５度で斜角をつけられた表面４９を含む。後面５１上で、ボードは、それぞれの隅から対角線的に内側へ粘着的に添付された小さなエラストマー性スタンドオフまたはバンパー５２である。エラストマー性またはゴムのスタンドオフ５２は、それが添付されている壁表面上の凹凸にわたってパネルを橋渡しするように働く。前面５３上で、バッカーボード４０は穴５４を介する４つの皿穴のセットを有し、１つはボードの各々の隅に隣接する。
【００１３】
複数のボード４０は矩形のアレイ（図１中で描写されたもの）中に締め付けられる。ボード４０は、皿穴５４中に配置したセルフドリリングネジ（図示せず）によって壁１０へ添付され、壁１０の中へネジ留めすることができる。図８中で示されるように（それは図１中で切断線Ｂ−Ｂに対応する）、ボード４０は隣接するボードに当接する。図７および８での閲覧は、端部プロファイル４１は金属の天井用のパネル１１のフランジ１２を収容するように構成されることを明らかにする。フランジ１２の内側にへこんだ領域１３は、段部表面４８、アンダーカット領域４６、およびベース４３によって境界をつけたボード４０の周辺の谷部中に収容されるように適合される。パネル１１は、内側にへこんだ領域１３が後方に面する段部表面４８の裏側の谷部を嵌め込むまでボードの上へ押し付けられるので、ボード４０の周辺部上の斜面表面４９は、それぞれのパネルフランジ１２をわずかに外に向かって広がらせるようにカムとして作動する。図７および８は、パネル１１がバッカーボード４０上に取り付けられる場合に、パネルの全面がボードによってバックアップされることを示す。バッカーボード４０のこのバックアップ機能により、パネル１１がへこむかまたは内側に折れ曲がるかそうでなければ損傷される可能性は減少する。
【００１４】
図１の切断線Ａ−Ａに対応する図７を参照すると、バッカーボード４０のアレイは、一般的にはＦ形状の横断面を有する端部トリムピース５７によってその周辺部でトリミングすることができる。図７中で示されるように、端部トリムピース５７の１つのフランジ５８はバッカーボード４０の裏側に滑り込み、一方トリムの中央フランジ５９は深い狭い溝４４中で収容される。穴５４中のネジが完全に引き締められる前に、端部トリムピース５７を設置することができる。ゴムのスタンドオフ５２によって提供された壁１０とバッカーボード４０との間の間隔は、バッカーボードの裏側のトリムのフランジ５８の収容を促進する。
【００１５】
図示されたバッカーボード４０は、通常の建築ボードストックで組み立てられ、端部プロファイル４１は単一のルータまたは造形ビットにより切断することができるので、非常に低価格で製造することができる。
【００１６】
本発明はその特定の実施形態に関して示され記述されたが、これは限定ではなく例示の目的のためであり、本明細書において示され記載された具体的な実施形態の他の変形および修飾は、本発明の意図された趣旨および範囲内ですべての当業者に明らかであろう。したがって、本特許は、本明細書において示され記載された具体的な実施形態に対する範囲および効果や当技術分野における進歩が本発明によって前進させた程度と矛盾する任意の他の手法を限定するものではない。
【手続補正２】
【補正対象書類名】特許請求の範囲
【補正対象項目名】全文
【補正方法】変更
【補正の内容】
【特許請求の範囲】
【請求項１】
メインランナー間に組み付けられた複数のメインランナーおよびクロスランナーを含む支持壁上の装飾用パネルアレイであって、メインランナーおよびクロスランナーのそれぞれが全長に沿って連続的に延び、前方向に開けられたボルト・スロットを有し、１セットの壁ブラケットがランナーを壁に取り付け、ランナーが壁から所定の距離で間隔を置いて配置され、複数の四角形の金属の天井パネルがランナー上に載置され、パネルがランナーのボルト・スロット中に収容および保持される内側にへこんだ領域を備えた後方に向けられた周辺フランジを有し、４つの側面を有するアレイの長方形の周辺が前記４つの側面に沿って実質的に連続して延びる浅いトリムチャンネルによってトリミングされ、チャンネルが前記隣接するランナーに固定されたクリップによって隣接するランナー上に保持され、トリムチャンネルが平行なフランジおよび中間のウェブを有し、一方のトリムチャンネルフランジが壁に直接立てかけられるかまたは壁に係合する圧縮可能なガスケットに立てかけられ、他方のフランジが隣接するランナーのボルト・スロットの一部の上に重なる、支持壁上の装飾用パネルアレイ。
【請求項２】
前記壁ブラケットの各々が壁に接する足およびランナーのそれぞれのウェブに接する部分を有する、請求項１に記載の装飾用パネルアレイ。